(57)【特許請求の範囲】
【請求項１】
各ビード部内でビードワイヤ（２）に固定されたカーカス補強部（１）と、クラウン補強部（３）と、２つのサイドウォール部（５）により２つのビード部に接合されたトレッド部（４）とを有し、トレッド部（４）の配合ゴムの軸方向外縁部がサイドウォール部（５）の配合ゴムの半径方向外縁部上に接合されているタイヤ（Ｐ）において、トレッド部（４）の配合ゴムとサイドウォール部（５）の配合ゴムとの円形接合部（Ｊ）は、タイヤ（Ｐ）の軸方向外壁上に位置したその半径（ＲC）が、０．９ＲS＋０．１ＲB〜０．８ＲS＋０．２ＲBであり、及び／又は、ＲSS〜０．９ＲSS＋０．１ＲBとなるように位置決めされており、ここで、ＲSは、トレッド部の赤道面におけるクラウン半径、ＲSSは、カーカス補強部の中心線の赤道面における半径、ＲBは、ビードワイヤ（２）の横断面の重心を通るタイヤの回転軸線に垂直な線上で測ったビード部受座の半径であり、
前記配合ゴム相互間の円形接合部Ｊは、少なくとも１つの円周方向溝の近くに位置し、前記溝の平均半径ＲR は、ＲC ＋１０mm〜ＲC −１０mmであり、前記溝の深さは、半径ＲR のところにおけるサイドウォール部の全厚の１０％〜３０％である、
ことを特徴とするタイヤ。
【請求項２】
前記溝（６）の横断面は、半円形である、
ことを特徴とする請求項１記載のタイヤ。
【請求項３】
前記溝（６）の横断面は、連続した２つの円弧、即ち、第１に半径がｒであって長さがπｒ／２〜πｒの半径方向上側の凹状円弧と、前記凹状円弧の接線方向延長部をなす曲率半径ｒ′がｒ〜Ｒ′の第２の凸状円弧とで構成された形態をしており、Ｒ′は、半径ＲR のところで測定したサイドウォール部の外壁の曲率半径であり、前記第２の凸状円弧は又、外壁に対して接線をなしている、
ことを特徴とする請求項１記載のタイヤ。
【発明の詳細な説明】
【０００１】
本発明は、特に乗用車に装着されるようになったカーカス補強部付きタイヤ、好ましくはラジアルタイヤに関する。
【０００２】
各ビード部内で少なくとも１つのビードワイヤに固定されたカーカス補強部に加えて、上記のタイヤは、カーカス補強部の外側へ半径方向に、非延伸性補強要素で作られた少なくとも２つの所謂、実働クラウンプライで形成されたクラウン補強部を有し、これら実働プライは、各プライ内で互いに平行であり、円周方向に対して１０°〜４５°の角度をなした状態で或る１つのプライから次のプライへ交差している。クラウン補強部の外側へ半径方向に配置されたトレッド部は、赤道面の各側で２つのサイドウォール部によってタイヤの２つのビード部に接合されている。
【０００３】
周知であって広く用いられているように、トレッド部の配合ゴムと２つのサイドウォール部の配合ゴムとの間に位置したタイヤのショルダ部を備えた接合部は、２つの方法で構成できる。第１の方法は、サイドウォール部の半径方向上縁部をトレッド部配合ゴムの軸方向外縁部上に折り返すことである。この方法では、未加硫カーカスブランク用の円筒形成型ドラム上にサイドウォール部配合ゴムを配置するとき、サイドウォール部の配合ゴムの上縁部を非接着状態にし、次いで、この非接着状態の上縁部を未加硫タイヤブランクの仕上げ工程中にトレッド部配合ゴムのウイング上に折り返すことが必要である。上述の作業は場合によっては手際の良さを必要とする。
【０００４】
利用されることが多い第２の方法は、先ず最初に、トレッド部配合ゴムのウイングをサイドウォール部配合ゴムの上縁部、即ちタイヤブランクの成型中にその半径方向下に位置する配合ゴムに接着されている上述の上縁部上に折り返すことである。次に、トレッド部配合ゴムとサイドウォール部配合ゴムとの間の接合部（これは、幾分真円の形態をしたサイドウォール部の外壁上に位置している）をサイドウォール部配合ゴムの品質に近い品質の配合ゴムの層又はジョイントカバーで被覆する。この第２の方法による解決策により、接合部の良好な強度及びタイヤの良好な寿命が得られるが、追加の部材を配置することが必要なので材料費及び製造費の面では欠点がある。
【０００５】
トレッド部ウイングの折り返しを容易にするためにトレッド部ウイングを可能な範囲でテーパさせたにもかかわらず、トレッド部配合ゴムとサイドウォール部配合ゴムに用いられる材料は非常に異なっているのが通例であり、しかも接触領域でタイヤの加重に起因して生じ、タイヤのショルダ部に加わる機械的応力は非常に高いので、トレッド部とサイドウォール部との接合部上にジョイントカバーを用いないで済ますことはできない。というのは、接合部の寿命は、強烈且つ過酷な高速道路用途に十分なレベルとは評価されないからである。
【０００６】
本発明の目的は、上述の第２のタイヤブランク成型方法を利用する際、ジョイントカバーを使わないで済ますことにある。
【０００７】
本発明は、各ビード部内でビードワイヤに固定されたカーカス補強部と、クラウン補強部と、２つのサイドウォール部により２つのビード部に接合されたトレッド部とを有し、トレッド部のシングルプライをなす配合ゴムの軸方向外縁部がサイドウォール部の配合ゴムの半径方向外縁部上へ折り返されているタイヤに関し、その構成上の特徴として、トレッド部のシングルプライをなす配合ゴムとサイドウォール部の配合ゴムとの円形接合部は、タイヤの軸方向外壁上に位置したその半径が、一番目に０．９ＲS ＋０．１ＲB 〜０．８ＲS ＋０．２ＲB であり、二番目にＲSS〜０．９ＲSS＋０．１ＲB となるように位置決めされており、ここで、ＲS は、トレッド部の赤道面におけるクラウン半径、ＲSSは、カーカス補強部の中心線の赤道面における半径、ＲB は、ビードワイヤの横断面の重心を通るタイヤの回転軸線に垂直な線上で測ったビード部受座の半径である。
【０００８】
このように位置決めすることにより、トレッド部配合ゴムとサイドウォール部配合ゴムとの接合部に生じる変形度が大幅に減少し、その結果、接合強度が実質的に高くなる。
【０００９】
好ましくは、上記配合ゴム相互間の円形接合部は、少なくとも１つの円周方向溝の近くに位置し、溝の平均半径ＲR は、ＲC ＋１０mm〜ＲC −１０mmであり、溝の深さは、半径ＲR のところにおけるサイドウォール部の全厚の１０％〜３０％である。効果を最大にするには溝の平均半径がＲC 〜ＲC −１０mmであることが有利である。溝の横断面は、半円形であるのがよく、変形例として子午線断面で見て連続した円弧の形状をしていてもよい。
【００１０】
本発明の特徴は、実施形態を非限定的に示す図面を参照して以下の詳細な説明を読むと一層よく理解できよう。
【００１１】
寸法が１７５／７０Ｒ．１３のタイヤは、半径方向補強要素のシングルプライ１で形成されたカーカス補強部を有し、これら半径方向補強要素は、テキスタイルケーブル、例えば脂肪族ポリアミド、ＰＥＴ又はレーヨンのケーブルである。このプライ１は、各ビード部内で編組タイプのビードワイヤ２に巻きついて折り返し部１０を形成している。カーカス補強部１の上にはその外側へ半径方向に、非延伸性金属６×２３ＮＦスチールケーブルで作られた２つの実働プライ３１，３２で形成されたクラウン補強部３が取り付けられており、これら実働プライは、各プライ内で互いに平行であり、タイヤの円周方向に対して２２°の角度αをなした状態で或る１つのプライ３１から次のプライ３２へ交差している。クラウン補強部３の縁部又はエッジは、ゴム異形要素７によってカーカスプライ１から分離され、実働プライ３１，３２の縁部又はエッジは、適当な品質のウェッジ８によって互いに分離されている。クラウン補強部３の上に半径方向に設けられたトレッド部４は、タイヤＰの軸方向外壁に半径がＲC の実質的に円形の軌跡Ｃを有する接合部Ｊを介して赤道面ＸＸ′の各側においてサイドウォール部５に接合されている。タイヤの回転軸線から最も遠くに位置したトレッド部４の点の赤道面ＸＸ′上への円形軌跡の半径ＲS 、カーカス補強部１の平均表面の点の赤道面ＸＸ′上への事実上円形の軌跡の半径ＲSS、赤道面ＸＸ′に対して平行でありビードワイヤ２の断面の重心を通る平面で測定したビード部受座の半径ＲB を考えると、半径ＲC は２６８mmであり、即ち、一番目にＲS が２８９mmであってＲBが１６３mmであるとすれば、０．８３ＲS ＋０．１７ＲB に等しく、二番目にＲSSが問題の寸法について２７５mmであるとすれば、０．９３ＲSS＋０．０７ＲBに等しい。
【００１２】
円形軌跡Ｃの内側へ半径方向に半円形横断面の溝６が配置されており、その中心軸線ＺＺ′は、子午線断面で見て、半径ＲC よりも６mm短い半径ＲR の点のところでタイヤのサイドウォール部と交差している。溝６は、本実施形態では２．０mmの半径ｒに相当する深さを有し、この長さは、軸線ＺＺ′上で測って８mmであるタイヤのサイドウォール部の厚さｅの２５％に等しい。接合部Ｊに近い溝６により、トレッド部配合物とサイドウォール部配合物との上記接合部の高さ位置におけるタイヤの側壁に対する変形を一段と減少させることができる。
【００１３】
図２は、別の形態の円周方向溝６を示しており、この円周方向溝は、子午線断面で見て連続した２つの円弧、即ち、第１に半径がｒであって長さがπｒ／２〜πｒの半径方向上側の凹状円弧と、凹状円弧の接線方向延長部をなす曲率半径ｒ′がｒ〜Ｒ′の第２の凸状円弧とで構成され、Ｒ′は、半径ＲR のところで測定したサイドウォール部の外壁の曲率半径であり、第２の円弧は又、外壁に対して接線をなしている。上記の場合、半径ｒは２mmであり、半径ｒ′は８０mmである。
【００１４】
もし必要であれば、接合部Ｊの外側へ半径方向に且つこの接合部から同一の半径方向距離のところに配置された溝６と同一タイプの第２の溝を更に設けることができる。
【００１５】
本発明のタイヤ（図１）に対して行った試験の示すところによれば、過剰負荷走行時とオゾン含有条件走行時の両方においてタイヤのトレッド部とサイドウォール部との接合部について良好な耐久性が得られた。溝を設けることにより、接合部の受ける変形度を減少させることができ、この設計のタイヤは、オゾン条件下での走行中に初期分離が現れるまでに、溝を備えていないタイヤのマイル数の１．５倍のマイル数を記録した。
【図面の簡単な説明】
【図１】  子午線断面で見た本発明のタイヤの略図である。
【図２】  子午線断面で見た溝の形状の変形例の略図である。
【図１】
0004298162.tif 000002
【図２】
0004298162.tif 000003